(57)【要約】【課題】携帯機器をスムーズに脱着凹部に出し入れしながら、セットする状態では内蔵する電池を確実に充電する。【解決手段】充電台は、電池を内蔵する携帯機器７０を挿入できる脱着凹部１１を有するケース１０と、脱着凹部１１の一方の対向内面から出力端子２１を突出させる接点レバー２０と、他方の対向内面から脱着凹部１１に突出する突出部３１を有するロックレバー３０と、接点レバー２０及びロックレバー３０を脱着位置とセット位置に傾動させるボタンレバー４０と、ボタンレバー４０をロックレバー３０と接点レバー２０に連結する連結機構５０とを備えている。充電台は、ボタンレバー４０の脱着位置においては、連結機構５０がロックレバー３０の突出部３１と接点レバー２０の出力端子２１とを脱着凹部１１の外側に移動し、ボタンレバー４０のセット位置においては、連結機構５０がロックレバー３０と接点レバー２０とを脱着凹部１１に突出させる。【選択図】図４
2010063318.tif 000002
【特許請求の範囲】
【請求項１】
充電できる電池を内蔵する携帯機器(70)を脱着自在に挿入できる上方を開口している脱着凹部(11)を有するケース(10)と、このケース(10)の脱着凹部(11)の一方の対向内面から脱着凹部(11)に向かって出力端子(21)を突出させる接点レバー(20)と、他方の対向内面から脱着凹部(11)に向かって突出する突出部(31)を有するロックレバー(30)と、前記ケース(10)に連結されて前記接点レバー(20)及びロックレバー(30)を、携帯機器(70)を脱着する脱着位置と携帯機器(70)に出力端子(21)を接触させるセット位置に傾動させるボタンレバー(40)と、このボタンレバー(40)を前記ロックレバー(30)と接点レバー(20)に連結する連結機構(50)とを備え、
前記ボタンレバー(40)の脱着位置においては、連結機構(50)が前記ロックレバー(30)の突出部(31)と接点レバー(20)の出力端子(21)とを互いに離れる方向に移動して、突出部(31)と出力端子(21)を脱着凹部(11)の外側に移動し、ボタンレバー(40)のセット位置においては、連結機構(50)が前記ロックレバー(30)と接点レバー(20)とを互いに接近する方向に移動して、ロックレバー(30)の突出部(31)と、接点レバー(20)の出力端子(21)とを脱着凹部(11)に突出させるようにしてなる充電台。
【請求項２】
前記接点レバー(20)は、傾動して出力端子(21)を脱着凹部(11)に突出させるように中間の傾動軸(22)を介して傾動自在にケース(10)に連結されて、傾動軸(22)の上方に出力端子(21)を連結しており、
前記ロックレバー(30)は、下部を傾動軸(32)としてケース(10)に連結しており、
さらに、ボタンレバー(40)は、ケース(10)の上面に配設される傾動プレート(41)と、この傾動プレート(41)から下方に伸びる傾動アーム(42)とを備えており、傾動アーム(42)の上部を傾動軸(43)として脱着位置とセット位置とに傾動できるようにケース(10)に連結しており、
前記連結機構(50)は、前記ボタンレバー(40)の傾動アーム(42)をロックレバー(30)に連結すると共に、この傾動アーム(42)を接点レバー(20)に連結するリンク機構(51)を備えており、
このリンク機構(51)が、接点レバー(20)の下部に連結されて脱着凹部(11)の下方に水平方向に往復運動自在に配設してなるスライドプレート部(52A)と、このスライドプレート部(52A)に下部を連結して、上部をボタンレバー(40)の傾動アーム(42)の下部に連結している垂直プレート部(52B)とからなるスライドロッド(52)で、
前記ボタンレバー(40)が脱着位置に移動される状態においては、前記ロックレバー(30)と接点レバー(20)とが互いに離れる方向に傾動して、突出部(31)と出力端子(21)を脱着凹部(11)の外側に移動し、ボタンレバー(40)がセット位置に移動されると、前記ロックレバー(30)と接点レバー(20)とが互いに接近する方向に傾動して、ロックレバー(30)の突出部(31)と、接点レバー(20)の出力端子(21)とを脱着凹部(11)に突出させるようにしてなる請求項１に記載される充電台。
【請求項３】
前記ボタンレバー(40)を脱着位置とセット位置に保持するロック機構(45)を備える請求項１に記載される充電台。
【請求項４】
前記ロック機構(45)が、傾動プレート(41)に固定してなるストッパアーム(46)と、このストッパアーム(46)を押しバネ(47)で弾性的に押圧している弾性押圧具(48)とを備え、この弾性押圧具(48)は、ボタンレバー(40)が脱着位置からセット位置に移動される中間でストッパアーム(46)に押されて、押しバネ(47)を最も短く圧縮し、脱着位置とセット位置にあるストッパアーム(46)を弾性的に押圧して、脱着位置とセット位置に保持するようにしてなる請求項１に記載される充電台。
【請求項５】
脱着凹部(11)にセットされる携帯機器(70)が脱着自在なジャケット(73)を有する請求項１に記載される充電台。
【発明の詳細な説明】
【技術分野】
【０００１】
本発明は、充電できる電池を内蔵する携帯機器を脱着自在に挿入する脱着凹部を有する充電台に関する。
【背景技術】
【０００２】
携帯機器を脱着凹部に挿入して充電する充電台は開発されている。（特許文献１参照）
この公報に記載される充電台は、上方開口の脱着凹部を設けている。この脱着凹部の底部に充電端子の出力端子を設けている。さらに、脱着凹部の側面には、ロックばねの係合部を弾性変形可能な状態で突出させている。この充電台は、脱着凹部に携帯機器を挿入すると、携帯機器の底面に露出している電極端子に出力端子を接続する。また、携帯機器のケースに設けている凹溝に係合部を係合する。したがって、この充電台は、脱着凹部に挿入する携帯機器が、軽くて小型の携帯電話であっても、上方へ浮き上がることがなく、電極端子と出力端子を確実に接続できる。
【特許文献１】特開平１０−３３６９０６号公報
【発明の開示】
【発明が解決しようとする課題】
【０００３】
しかしながら、特許文献１に記載される充電台は、携帯機器を脱着凹部にスムーズに出し入れして、これを定位置に配置するのが難しい欠点がある。それは、携帯機器を挿入するときに、これを停止するために設けているロックばねを弾性変形させて、係合部をケースの凹溝に案内するからである。携帯機器を軽く脱着できるように、ロックばねを弱くすると、出力端子の接圧で携帯機器が浮き上がって携帯機器を定位置に保持できなくなる。とくに、この充電台は、脱着凹部の底部に弾性的に押し上げるように作用する出力端子を設けるので、この出力端子の接圧が傾動体が押し上げて、定位置に配置するのを難しくする。この出力端子も接触不良を少なくするために接圧を高くするほど、携帯機器の押し上げ力が強くなって、携帯機器を定位置に保持して確実に充電できなくなる。さらに、携帯機器は、ケースを保護するためのゴム状弾性体のジャケットを脱着できるように被着したものがある。この携帯機器は、ジャケットを被着する状態と外した状態では外形が異なる。特許文献１の充電台は、このように外形が異なる携帯機器を確実に定位置にセットして、内蔵する電池を充電できない欠点がある。
【０００４】
本発明は、さらにこの欠点を解決することを目的に開発されたものである。本発明の重要な目的は、携帯機器をスムーズに脱着凹部に出し入れしながら、セットする状態では内蔵する電池を確実に安定して充電できる充電台を提供することにある。
また、本発明の他の大切な目的は、ジャケットを被着する携帯機器のように外形が異なるものであっても、内蔵する電池を確実に安定して充電できる充電台を提供するにある。
【課題を解決するための手段及び発明の効果】
【０００５】
本発明の充電台は、前述の目的を達成するために以下の構成を備える。
充電台は、充電できる電池を内蔵する携帯機器７０を脱着自在に挿入できる上方を開口している脱着凹部１１を有するケース１０と、このケース１０の脱着凹部１１の一方の対向内面から脱着凹部１１に向かって出力端子２１を突出させる接点レバー２０と、他方の対向内面から脱着凹部１１に向かって突出する突出部３１を有するロックレバー３０と、ケース１０に連結されて、接点レバー２０及びロックレバー３０を、携帯機器７０を脱着する脱着位置と、携帯機器７０に出力端子２１を接触させるセット位置に傾動させるボタンレバー４０と、このボタンレバー４０をロックレバー３０と接点レバー２０に連結する連結機構５０とを備えている。充電台は、ボタンレバー４０の脱着位置においては、連結機構５０がロックレバー３０の突出部３１と接点レバー２０の出力端子２１とを互いに離れる方向に移動して、突出部３１と出力端子２１を脱着凹部１１の外側に移動し、ボタンレバー４０のセット位置においては、連結機構５０がロックレバー３０と接点レバー２０とを互いに接近する方向に移動して、ロックレバー３０の突出部３１と、接点レバー２０の出力端子２１とを脱着凹部１１に突出させる。
【０００６】
以上の充電台は、携帯機器をスムーズに脱着凹部に出し入れしながら、セットする状態では内蔵する電池を確実に安定して充電できる特徴がある。また、以上の充電台は、ジャケットを被着する携帯機器のように外形が異なるものであっても内蔵する電池を確実に安定して充電できる特徴がある。それは、ケースに設けた脱着凹部に携帯機器を挿入する状態で、ボタンレバーをセット位置に移動して、ロックレバーと接点レバーとを互いに接近する方向に移動して、ロックレバーの突出部と、接点レバーの出力端子とを脱着凹部に突出させるからである。
【０００７】
本発明の請求項２の充電台は、接点レバー２０が、傾動して出力端子２１を脱着凹部１１に突出させるように中間の傾動軸２２を介して傾動自在にケース１０に連結されて、傾動軸２２の上方に出力端子２１を連結している。ロックレバー３０は、下部を傾動軸３２としてケース１０に連結している。さらに、ボタンレバー４０は、ケース１０の上面に配設される傾動プレート４１と、この傾動プレート４１から下方に伸びる傾動アーム４２とを備えており、傾動アーム４２の上部を傾動軸４３として脱着位置とセット位置とに傾動できるようにケース１０に連結している。連結機構５０は、ボタンレバー４０の傾動アーム４２をロックレバー３０に連結すると共に、この傾動アーム４２を接点レバー２０に連結するリンク機構５１を備えている。このリンク機構５１は、接点レバー２０の下部に連結されて脱着凹部１１の下方に水平方向に往復運動自在に配設してなるスライドプレート部５２Ａと、このスライドプレート部５２Ａに下部を連結して、上部をボタンレバー４０の傾動アーム４２の下部に連結している垂直プレート部５２Ｂとからなるスライドロッド５２である。この充電台は、ボタンレバー４０が脱着位置に移動される状態においては、ロックレバー３０と接点レバー２０とが互いに離れる方向に傾動して、突出部３１と出力端子２１を脱着凹部１１の外側に移動し、ボタンレバー４０がセット位置に移動されると、ロックレバー３０と接点レバー２０とが互いに接近する方向に傾動して、ロックレバー３０の突出部３１と、接点レバー２０の出力端子２１とを脱着凹部１１に突出させる。
【０００８】
以上の充電台は、ボタンレバーに設けている傾動プレートを、脱着位置とセット位置に操作して、ロックレバーと接点レバーを確実に傾動して、携帯機器を出し入れする状態では、突出部と出力端子を脱着凹部の外部に移動して大きく開口し、携帯機器をセットする状態では、突出部と出力端子とを携帯機器に接近するように移動して、携帯機器に内蔵している電池を確実に安定して充電できる特徴がある。とくに、この構造は、連結機構を簡単な機構としながら、ボタンレバーを操作して、ロックレバーと接点レバーの両方を確実に傾動できる特徴もある。
【０００９】
本発明の請求項３の充電台は、ボタンレバー４０を脱着位置とセット位置に保持するロック機構４５を備えている。
以上の充電台は、ロック機構でもって、ボタンレバーを脱着位置とセット位置に保持するので、脱着位置にあっては携帯機器をスムーズに挿入でき、また、セット位置では出力端子を確実に携帯機器の電極端子に電気接続できる特徴がある。
【００１０】
本発明の請求項４の充電台は、ロック機構４５が、傾動プレート４１に固定してなるストッパアーム４６と、このストッパアーム４６を弾性的に押圧している押しバネ４７とを備えている。この押しバネ４７は、ボタンレバー４０が脱着位置からセット位置に移動される中間でストッパアーム４６によって最も短く圧縮され、脱着位置とセット位置にあるストッパアーム４６で最も圧縮される位置よりも長く圧縮されるようにしている。
以上の充電台は、簡単なロック機構でもって、ボタンレバーを脱着位置とセット位置に保持できる。
【００１１】
本発明の請求項５の充電台は、脱着凹部１１にセットされる携帯機器７０が、脱着自在なジャケット７３を有する。
【発明を実施するための最良の形態】
【００１２】
以下、本発明の実施例を図面に基づいて説明する。ただし、以下に示す実施例は、本発明の技術思想を具体化するための充電台を例示するものであって、本発明は充電台を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図１ないし図４は、携帯機器７０を充電台にセットする状態を示している。図１と図３は、携帯機器７０をジャケット７２で被覆して充電台にセットする状態を示し、図２と図４は、携帯機器７０をジャケットで被覆することなく充電台にセットする状態を示している。携帯機器７０は、充電台から供給される電力で充電される電池（図示せず）を内蔵している。充電台は、携帯機器７０をケース１０の脱着凹部１１に脱着自在にセットして、携帯機器７０の電池を充電する。携帯機器７０に内蔵される電池は、ニッケル水素電池やリチウムイオン電池などの充電できる全ての電池とすることができる。本実施例においては、携帯機器７０として、ゲーム電子機器等の電子製品を、操作するリモコンが利用できる。ただし、携帯機器には、たとえば携帯電話のように充電できる電池を内蔵する全ての機器を使用できる。
【００１５】
充電台は、図５ないし図８に示すように、携帯機器７０を脱着自在に挿入できる上方を開口している脱着凹部１１を有するケース１０と、このケース１０の脱着凹部１１の一方の対向内面から脱着凹部１１に向かって出力端子２１を突出させる接点レバー２０と、他方の対向内面から脱着凹部１１に向かって突出する突出部３１を有するロックレバー３０と、このロックレバー３０と接点レバー２０を、携帯機器７０を脱着する脱着位置と携帯機器７０に出力端子２１を接触させるセット位置に傾動させるボタンレバー４０と、このボタンレバー４０をロックレバー３０と接点レバー２０に連結している連結機構５０とを備える。
【００１６】
ケース１０は、脱着凹部１１に挿入される携帯機器７０に出力端子２１を接続して電池を充電する。出力端子２１は、電池を充電する充電回路（図示せず）に接続される。充電回路は、ケース１０に内蔵され、あるいは外部にあって、リード線を介して充電台に接続される。図の充電台は、正負の出力端子と、ひとつの信号端子からなる３端子の出力端子２１を携帯機器７０に接続する。携帯機器７０は、脱着凹部１１に挿入されて、出力端子２１を接続する位置に電源端子７１を設けている。いいかえると、出力端子２１は、脱着凹部１１に挿入される携帯機器７０の電源端子７１に接続される位置に配設される。
【００１７】
ケース１０はプラスチック製で、携帯機器７０を挿入して自立できる深さの脱着凹部１１を設けている。脱着凹部１１は、ボタンレバー４０を脱着位置にして携帯機器７０を出し入れする。したがって、脱着凹部１１の内形は携帯機器７０の外形よりも大きくして、自由に出し入れできるようにしている。さらに、この脱着凹部１１は、接点レバー２０の出力端子２１と、ロックレバー３０の突出部３１を携帯機器７０に向かって突出させる状態で、携帯機器７０を抜けないように保持できる内形としている。さらに、脱着凹部１１は、携帯機器７０を挿入して、これをロックレバー３０の突出部３１で押圧して携帯機器７０を自立できる深さとしている。
【００１８】
ケース１０は、脱着凹部１１に出力端子２１を突出させるための電極窓１４と、突出部３１を突出させるための貫通孔１５とを設けている。電極窓１４と貫通孔１５は、脱着凹部１１の内面を構成する周壁１２に、上下に伸びるスリット状に開口している。電極窓１４は、３組の出力端子２１を脱着凹部１１に突出させるために３列のスリットとして設けている。貫通孔１５は、ふたつの突出部３１を突出させるために、２列のスリットとして設けている。出力端子２１と突出部３１は、脱着凹部１１の対向面から突出するので、電極窓１４と貫通孔１５を、脱着凹部１１の周壁１２の対向面に開口している。
【００１９】
図１と図２のケース１０は、横に並べて複数の、図にあってはふたつの脱着凹部１１を設けている。この充電台は、各々の脱着凹部１１に携帯機器７０を挿入して、内蔵する電池を順番に充電することができる。各々の脱着凹部１１には、独立して操作できるボタンレバー４０で傾動される接点レバー２０とロックレバー３０を設けている。
【００２０】
接点レバー２０は、図５ないし図９に示すように、傾動して出力端子２１を脱着凹部１１に突出させるように中間の傾動軸２２を介して傾動自在にケース１０に連結されて、傾動軸２２の上方に出力端子２１を連結している。接点レバー２０はプラスチックを、中間でく字状に折曲する板状に成形して、折曲部の両側に傾動軸２２を直線上に突出させている。接点レバー２０は、傾動軸２２を水平姿勢としてケース１０に回転できるように連結される。接点レバー２０は、傾動軸２２を中心に回転して傾動できるように、上方と下方を脱着凹部１１の内面から離す姿勢でケース１０に連結される。ケース１０は、接点レバー２０の傾動軸２２を連結するために、図９に示すように、接点レバー２０の両側に、上下に伸びる一対の支持プレート１６を連結して設けている。支持プレート１６は、周壁１２の外周面に連結するように、ケース１０に一体的に成形して設けられる。一対の支持プレート１６に貫通孔１６ａを設けて、ここに接点レバー２０の傾動軸２２を回転できるように連結している。
【００２１】
傾動軸２２よりも上方のプレート部２０Ａには、３列の出力端子２１を上下に伸びる姿勢で連結している。出力端子２１は弾性金属線からなり、携帯機器７０の電源端子７１に接触させる部分を山形に折曲している。図の出力端子２１は、弾性金属線の下端を接点レバー２０のプレート部２０Ａの裏面に固定して、山形の接点部２１ａをプレート部２０Ａに貫通させて表面側に突出させている。接点部２１ａを自由に出入りできるように貫通させるために、プレート部２０Ａには３列のスリットの開口部２３を設けている。接点部２１ａは、傾動する接点レバー２０で脱着凹部１１に弾性的に突出して、携帯機器７０の電源端子７１に接触される。
【００２２】
ロックレバー３０は、下部を傾動軸３２として傾動できるようにケース１０に連結される。したがって、このロックレバー３０は、下端に水平方向に伸びる傾動軸３２を有し、この傾動軸３２の両側に上方に伸びるように突出部３１を連結している。突出部３１は、脱着凹部１１の周壁１２の対向面に設けているスリットの貫通孔１５から突出する山形プレート３１Ａとしている。山形プレート３１Ａは、傾動軸３２に直交する姿勢、すなわち垂直面に配設される。図１０のロックレバー３０は、２列の山形プレート３１Ａからなる突出部３１を傾動軸３２に連結して、これを脱着凹部１１に突出させる。ロックレバー３０は、傾動軸３２が上下に移動しながら回動するようにケース１０に連結される。ケース１０は、ロックレバー３０の傾動軸３２を連結するために、上下に伸びるガイド隙間１８を設けている。ガイド隙間１８は、図５と図７の断面図に示すように、脱着凹部１１の対向面を構成する周壁１２の外側に一対のＬ字プレート１７を連結して設けられる。Ｌ字プレート１７は、上端を周壁１２の外周面に連結するように、ケース１０に一体的に成形して設けられる。このＬ字プレート１７と周壁１２との間にガイド隙間１８を設けて、ここにロックレバー３０の傾動軸３２を回転でき、しかも上下に移動できるように連結している。
【００２３】
ボタンレバー４０は、ケース１０の上面に配設される傾動プレート４１と、この傾動プレート４１から下方に伸びる傾動アーム４２とを備えている。ボタンレバー４０は、傾動アーム４２の上部を傾動軸４３として脱着位置とセット位置とに傾動できるようにケース１０に連結される。図１０と図１１のボタンレバー４０は、傾動プレート４１の両側部に２列の傾動アーム４２を連結して、傾動アーム４２の中間にロック機構４５のストッパアーム４６を連結している。両側の傾動アーム４２と中央のストッパアーム４６とに連結するように水平方向に伸びる傾動軸４３を連結して、傾動軸４３の両端を傾動アーム４２から突出させて、この突出部３１をケース１０に回転できるように連結している。
【００２４】
傾動プレート４１は、脱着凹部１１の突出部３１を突出する対向面の上方であって、その外側にあるケース１０の上面に配設している。傾動プレート４１は、脱着プレート部４１Ａとセットプレート部４１Ｂとを傾斜する姿勢で連結している形状に成形している。脱着プレート部４１Ａは、図５と図６に示すように、傾動プレート４１を脱着位置とする状態で水平姿勢となり、セットプレート部４１Ｂは、図７と図８に示すように、傾動プレート４１をセット位置とする状態で水平姿勢となる。この傾動プレート４１は、脱着プレート部４１Ａを押し下げて、これを水平姿勢として脱着位置にでき、また、セットプレート部４１Ｂを押し下げて、これを水平姿勢としてセット位置に操作できる。
【００２５】
傾動アーム４２は、下端部の両側に突出するように、ロックレバー３０とリンク機構５１に連結される連結軸４４を突出させている。連結軸４４は、図１１に示すように、ロックレバー３０の突出部３１の背面に設けている連結穴３３に回転できるように挿入して連結される。また、連結軸４４は、連結機構５０であるリンク機構５１のスライドロッド５２の上端部に連結される。ボタンレバー４０は、傾動アーム４２を傾動して、ロックレバー３０を傾動し、さらに、リンク機構５１のスライドロッド５２を往復運動して、接点レバー２０を傾動させる。
【００２６】
連結機構５０は、図９ないし図１１に示すように、ボタンレバー４０の傾動アーム４２をロックレバー３０に連結すると共に、この傾動アーム４２を接点レバー２０に連結するリンク機構５１を備えている。リンク機構５１は、接点レバー２０の下部に連結されて脱着凹部１１の下方に水平方向に往復運動自在に配設してなるスライドプレート部５２Ａと、このスライドプレート部５２Ａに下部を連結して、上部をボタンレバー４０の傾動アーム４２の連結軸４４に連結している垂直プレート部５２Ｂとからなるスライドロッド５２である。スライドロッド５２は、スライドプレート部５２Ａと垂直プレート部５２Ｂとを直角に連結する形状として、プラスチックで一体的に成形している。
【００２７】
スライドプレート部５２Ａは、プラスチックを細長い板状に成形したもので、ケース１０の脱着凹部１１の底板１３の下面に沿って長手方向に往復運動するように配設される。ケース１０の底板１３は、スライドプレート部５２Ａを長手方向に移動させる一対のガイドリブ１９を底面から突出するように設けている。スライドプレート部５２Ａは、一対のガイドリブ１９の内側に配置されて、長手方向に往復運動する。スライドプレート部５２Ａは、上方に開口する連結溝５３を設けて、この連結溝５３に接点レバー２０の下端に設けている円柱状の連結ロッド２４を案内して連結している。
【００２８】
垂直プレート部５２Ｂは、スライドプレート部５２Ａに対して上方に伸びるように連結されて、上端には傾動アーム４２の連結軸４４を回転できるように挿入する連結穴５４を設けている。垂直プレート部５２Ｂは、一対の傾動アーム４２の外側に配設されて、傾動アーム４２の外側に突出する連結軸４４に連結される。したがって、垂直プレート部５２Ｂの上端部には、一対の傾動アーム４２の外側にあって、傾動アーム４２と平行な姿勢となる側壁部５５を突出して設けている。この側壁部５５の上端に連結穴５４を設けて、傾動アーム４２の連結軸４４を回転できるように挿通して連結している。
【００２９】
図の充電台は、ボタンレバー４０を脱着位置とセット位置に保持するロック機構４５を設けている。ロック機構４５は、傾動プレート４１に固定しているストッパアーム４６と、このストッパアーム４６を弾性的に押圧している押しバネ４７とを備える。押しバネ４７は、ケース１０に垂直姿勢に配置されて、上端面を山形に傾斜する弾性押圧具４８を被せている。弾性押圧具４８はキャップ状で、内部に押しバネ４７を挿入して、押しバネ４７で弾性的に押されながら上下に移動できるようにしている。弾性押圧具４８は、ケース１０に設けたガイド部４９を摺動して上下に移動できるようにケース１０に連結している。ストッパアーム４６は、その下端を弾性押圧具４８の上面に接触させている。いいかえると、弾性押圧具４８は、ストッパアーム４６の下端を弾性的に押し上げている。このロック機構４５は、ボタンレバー４０を脱着位置とセット位置とに傾動する状態で、ストッパアーム４６が弾性押圧具４８の両側の傾斜面に押圧される。弾性押圧具４８が傾斜面でストッパアーム４６を弾性的に押し上げて、ボタンレバー４０を脱着位置とセット位置に保持する。ボタンレバー４０が脱着位置からセット位置に、あるいはセット位置から脱着位置に傾動される中間で、押しバネ４７は最も短く圧縮されて、弾性押圧具４８が降下される。脱着位置とセット位置のいずれかに移動されると、ストッパアーム４６の下端はいずれかの傾斜面に移動して、押しバネ４７は最も圧縮される位置よりも長くなる。このロック機構４５は、ボタンレバー４０を脱着位置とセット位置に移動させる中間で、押しバネ４７を圧縮することで、ボタンレバー４０を脱着位置とセット位置に保持する。
【００３０】
以上の充電台は、以下の状態で使用される。
［携帯機器を脱着する状態］
携帯機器７０を脱着するとき、ボタンレバー４０は、図５と図６に示す脱着位置に移動される。脱着位置に移動されるボタンレバー４０は、傾動アーム４２を、その下端を脱着凹部１１の周壁１２から離す方向に移動させる。下端をこの方向に移動させる傾動アーム４２は、これに連結しているロックレバー３０の突出部３１を脱着凹部１１の外側に移動させる。さらに、スライドロッド５２のスライドプレート部５２Ａを図の矢印Ａで示す方向に移動させて、接点レバー２０の下端を脱着凹部１１に接近させる方向に傾動させる。この方向に傾動する接点レバー２０は、傾動軸２２の上方に配置している出力端子２１を脱着凹部１１から離す方向に移動させる。したがって、ボタンレバー４０が脱着位置に移動されると、ロックレバー３０と接点レバー２０の上部を互いに離れる方向に傾動させて、突出部３１と出力端子２１を脱着凹部１１の外側に移動させる。この状態で、脱着凹部１１に携帯機器７０を出し入れする。
【００３１】
［携帯機器を脱着凹部にセットする状態］
脱着凹部１１に携帯機器７０が挿入されると、ボタンレバー４０を、図７と図８に示すセット位置に移動する。この位置に移動されるボタンレバー４０は、傾動アーム４２の下端を脱着凹部１１の周壁１２に接近させる方向に移動させる。下端部をこの方向に移動する傾動アーム４２は、下端部に連結しているロックレバー３０を傾動して、突出部３１を脱着凹部１１に突出させる。また、スライドロッド５２のスライドプレート部５２Ａを図の矢印Ｂで示す方向に移動させて、接点レバー２０の下端部を脱着凹部１１から離す方向に移動させる。この方向に傾動する接点レバー２０は、傾動軸２２の上方に配置している出力端子２１を脱着凹部１１に接近させる方向に移動して、出力端子２１を脱着凹部１１の内部に突出させる。したがって、ボタンレバー４０がセット位置に移動されると、ロックレバー３０と接点レバー２０の上部を互いに接近させる方向に傾動させて、突出部３１と出力端子２１を脱着凹部１１に突出させる。この状態で、脱着凹部１１に突出する突出部３１は、携帯機器７０を出力端子２１に向かって押しつけ、出力端子２１は携帯機器７０の電源端子７１に接触して電池を充電する。
【００３２】
図の充電台は、脱着凹部１１に突出する突出部３１で、携帯機器７０を出力端子２１側に押しつけているが、携帯機器のケースに、突出部を案内する係止凹部（図示せず）を設けて、ここに突出部を案内して、携帯機器を抜けないように脱着凹部にセットすることもできる。この構造は、脱着凹部に突出する突出部が係止凹部に案内されて、携帯機器を出力端子に向かって押しつけて、抜けないように保持しながら、出力端子を電源端子に接触できる。
【図面の簡単な説明】
【００３３】
【図１】本発明の一実施例にかかる充電台に携帯機器をジャケットで被覆してセットする状態を示す斜視図である。
【図２】本発明の一実施例にかかる充電台に携帯機器をジャケットで被覆することなくセットする状態を示す斜視図である。
【図３】図１に示す充電台のＡ−Ａ線断面図である。
【図４】図２に示す充電台のＡ−Ａ線断面図である。
【図５】本発明の一実施例にかかる充電台のボタンレバーを脱着位置とする状態を示す断面図であって、図１のＡ−Ａ線断面に相当する図である。
【図６】本発明の一実施例にかかる充電台のボタンレバーを脱着位置とする状態を示す断面図であって、図１のＢ−Ｂ線断面に相当する図である。
【図７】本発明の一実施例にかかる充電台のボタンレバーをセット位置とする状態を示す断面図であって、図１のＡ−Ａ線断面に相当する図である。
【図８】本発明の一実施例にかかる充電台のボタンレバーをセット位置とする状態を示す断面図であって、図１のＢ−Ｂ線断面に相当する図である。
【図９】本発明の一実施例にかかる充電台の内部構造を示す底面斜視図である。
【図１０】接点レバーとロックレバーとボタンレバーの連結構造を示す斜視図である。
【図１１】本発明の一実施例にかかる充電台の内部構造を示す断面斜視図である。
【符号の説明】
【００３４】
１０…ケース
１１…脱着凹部
１２…周壁
１３…底板
１４…電極窓
１５…貫通孔
１６…支持プレート                １６ａ…貫通孔
１７…Ｌ字プレート
１８…ガイド隙間
１９…ガイドリブ
２０…接点レバー                  ２０Ａ…プレート部
２１…出力端子                    ２１ａ…接点部
２２…傾動軸
２３…開口部
２４…連結ロッド
３０…ロックレバー
３１…突出部                      ３１Ａ…山形プレート
３２…傾動軸
３３…連結穴
４０…ボタンレバー
４１…傾動プレート                ４１Ａ…脱着プレート部
４１Ｂ…セットプレート部
４２…傾動アーム
４３…傾動軸
４４…連結軸
４５…ロック機構
４６…ストッパアーム
４７…押しバネ
４８…弾性押圧具
４９…ガイド部
５０…連結機構
５１…リンク機構
５２…スライドロッド              ５２Ａ…スライドプレート部
５２Ｂ…垂直プレート部
５３…連結溝
５４…連結穴
５５…側壁部
７０…携帯機器
７１…電源端子
７３…ジャケット
【図１】
2010063318.tif 000003
【図２】
2010063318.tif 000004
【図３】
2010063318.tif 000005
【図４】
2010063318.tif 000006
【図５】
2010063318.tif 000007
【図６】
2010063318.tif 000008
【図７】
2010063318.tif 000009
【図８】
2010063318.tif 000010
【図９】
2010063318.tif 000011
【図１０】
2010063318.tif 000012
【図１１】
2010063318.tif 000013